(57)【要約】【課題】着座者の姿勢変化に対する追従性に優れたランバーサポート装置を提供する。【解決手段】ランバーサポート装置２１は、椅子に固定されたランバーガイド２２と、ランバーガイド２２に昇降可能に取付けられたパッド部とを有する。パッド部は、左右方向に長いパッド体２７を有している。背もたれ２は、着座者の身体の捩じりによって平面視形状が変化し得るが、ランバーガイド２２は、背支柱７の基部に固定された支柱フレーム１３に取付けられているため、背もたれ３のねじれ変形を損なわない。パッド体２７は、左右のばね体を介してランバーガイド２２で支持されており、背もたれ３の形状変化に追従してパッド体２７の形状も変化する。従って、着座者の身体に対するパッド体２７のフィット性も高い。【選択図】図１４
2019084337.tif 000002
【特許請求の範囲】
【請求項１】
前後に開口した背フレームに撓み変形自在な背受け材を設けた背もたれと、前記背もたれから独立した状態で前記背受け材の後ろに配置したランバーサポート装置とを備えており、
前記背もたれは、着座者の体圧が左右方向に不均一に掛かると平面視の形状又は姿勢が変化し得る一方、
前記ランバーサポート装置は、前記背受け材を介して着座者の体圧が掛かる左右横長のパッド部と、前記パッド部が前後動可能に取り付いた支持部とを有しており、前記支持部は、前記背フレームと相対動可能に配置されて、前記パッド部は、前記背もたれの形状の変化又は姿勢変化に追従して平面視姿勢が変化するように左右のばね体を介して前記支持部によって支持されている、
ランバーサポート装置付き椅子。
【請求項２】
前記支持部は、上下長手のランバーガイドを備えており、前記ランバーガイドの上端は、前記背フレームが取り着いた背支柱に連結されて、前記ランバーの下端は、前記背フレームの下部の左右中間部に連結されている一方、
前記パッド部は、前記ランバーガイドを後ろから覆う状態で前記左右のばね体の左右外側に大きくはみ出る左右長手のフレーム体と、前記ランバーガイドを前から覆う状態で前記フレーム体に取付けられたフロント部材と、前記フレーム体の左右両端部に掛け渡されたパッド体とを有しており、
前記フレーム体とフロント部材とで構成された中空部と前記ランバーガイドとの間に、前記フレーム体及びフロント部材が水平回動することを許容する隙間を形成している、  
請求項１に記載したランバーサポート装置付き椅子。
【請求項３】
前記背フレームは、その下端部の左右中間部がロア支持体に連結されていることにより、着座した人の姿勢の変化に追従して姿勢変化することが許容されている一方、
前記ランバーサポート装置の支持部は、前記ロア支持体に設けられた上端は自由端になっている上下長手のランバーガイドと、前記ランバーガイドに昇降自在に装着された昇降体とを有しており、前記昇降体に、前記ランバーガイドの左右両側に大きく張り出す左右長手の前記パッド部が、水平回動自在に取付けられている、
請求項１に記載したランバーサポート装置付き椅子。
【請求項４】
前記パッド部は、水平状の軸心回りに上下回動するパッド体を有している、
請求項１〜３のうちのいずれかに記載したランバーサポート装置付き椅子。
【請求項５】
前記パッド体の上下回動に対して抵抗を付与する弾性体を備えている、
請求項４に記載したランバーサポート装置付き椅子。
【請求項６】
前記背もたれに着座者の後ろ向き体圧が掛かっていない初期状態で、前記パッド部と背受け材との間に隙間が空くように設定されている、
請求項１〜５のうちのいずれかに記載したランバーサポート装置付き椅子。
【発明の詳細な説明】
【技術分野】
【０００１】
本願発明は、ランバーサポート装置を備えた椅子に関するものである。
【背景技術】
【０００２】
椅子の背もたれにランバーサポート装置を設けることは、広く行われている。ランバーサポート装置はパッド体を備えており、パッド体の高さが一定になっているものと、パッド部の高さを調節できるものとがある。
【０００３】
ランバーサポート装置の構造は多種多様であり、その例として特許文献１には、パッド体を支持部材に前後動可能に取付けて、左右のばね体（圧縮コイルばね）で支持することが開示されている。
【０００４】
正確に述べると、特許文献１では、パッド部の後面に後ろ向きの筒体を設けている一方、背フレームに設けた支持部材の前面に、パッド部の後ろ向き筒体よりも小径の前向き筒体を一体に設けて、両筒体の間にばね体を配置することにより、パッド体の後退動を弾性的に支持しており、更に、パッド体の離脱防止手段として、前向き筒部の前端に前板を設けて、頭付きビスを前向き筒体に後ろから挿入して前板に貫通させて、このビスをパッド部にねじ込んでいる。
【０００５】
さて、パッド体を高さ調節できるランバーサポート装置は広く普及しているが、パッド部は、所定の高さに保持した状態で平面視姿勢や側面視姿勢は一定であり、また、前後位置も一定であることが多い。これに対して特許文献１では、パッド部はばね体に抗して後退するため、クッション性が高いという特徴がある。
【先行技術文献】
【特許文献】
【０００６】
【特許文献１】米国特許公開２０１７／０２３４０１０２１公報
【発明の概要】
【発明が解決しようとする課題】
【０００７】
さて、椅子に腰掛けた人は常に前だけを向いている訳ではなく、横を向くことがある。すなわち、身体を左又は右にねじることがある。或いは、上半身を左又は右に傾けることもある。すなわち、椅子に腰掛けた人は、背もたれに上半身を当てた状態で姿勢を変化させることがある。
【０００８】
この場合、身体のねじりや傾きに応じて背もたれの平面視形状や姿勢が変形すると、身体に対するフィット性が格段に高くなるため、快適な使用感を得ることができる。そして、人の姿勢変化によって背もたれの平面視形状や姿勢の変化したときに、ランバーサポート装置のパッド部の平面視姿勢が背もたれの形状や姿勢の変化に追従して変化すると、使用感を更に向上できる。
【０００９】
しかし、特許文献１の背もたれは、着座者の身体のねじり等によって平面視形状や姿勢が変化するようにはなっておらず、従って、着座者が身体を変化させたときの追従性はなく、フィット性に劣ると思料される。
【００１０】
また、特許文献１では、ランバーサポート装置は背もたれの背フレームに取付けており、パッド部がばね体に抗して後退するだけであるため、仮に、着座者の身体の捩じりによって背もたれの左側部又は右側部が後ろに曲がるように変形したとすると、パッド部の左端部又は右端部が使用者の身体に強く突っ張る片当たり現象が生じて、使用感を低下させてしまうおそれがある。
【００１１】
本願発明は、このような現状を改善すべく成されたものである。
【課題を解決するための手段】
【００１２】
本願発明のランバーパッド装置は、請求項１のとおり、
「前後に開口した背フレームに撓み変形自在な背受け材を設けた背もたれと、前記背もたれから独立した状態で前記背受け材の後ろに配置したランバーサポート装置とを備えており、
前記背もたれは、着座者の体圧が左右方向に不均一に掛かると平面視の形状又は姿勢が変化し得る一方、
前記ランバーサポート装置は、前記背受け材を介して着座者の体圧が掛かる左右横長のパッド部と、前記パッド部が前後動可能に取り付いた支持部とを有しており、前記支持部は、前記背フレームと相対動可能に配置されて、前記パッド部は、前記背もたれの形状の変化又は姿勢変化に追従して平面視姿勢が変化するように左右のばね体を介して前記支持部によって支持されている」
という構成になっている。
【００１３】
本願発明は、様々に展開できる。その例を請求項２以下で特定している。このうち請求項２の発明は、請求項１において、
「前記支持部は、上下長手のランバーガイドを備えており、前記ランバーガイドの上端は、前記背フレームが取り着いた背支柱に連結されて、前記ランバーの下端は、前記背フレームの下部の左右中間部に連結されている一方、
前記パッド部は、前記ランバーガイドを後ろから覆う状態で前記左右のばね体の左右外側に大きくはみ出る左右長手のフレーム体と、前記ランバーガイドを前から覆う状態で前記フレーム体に取付けられたフロント部材と、前記フレーム体の左右両端部に掛け渡されたパッド体とを有しており、
前記フレーム体とフロント部材とで構成された中空部と前記ランバーガイドとの間に、前記フレーム体及びフロント部材が水平回動することを許容する隙間を形成している」
という構成になっている。なお、本願では、「連結」は、相対動可能な状態と固定された状態との両方を含んでいる。
【００１４】
また、請求項３の発明は、請求項１において、
「前記背フレームは、その下端部の左右中間部がロア支持体に連結されていることにより、着座した人の姿勢の変化に追従して姿勢変化することが許容されている一方、
前記ランバーサポート装置の支持部は、前記ロア支持体に設けられた上端は自由端になっている上下長手のランバーガイドと、前記ランバーガイドに昇降自在に装着された昇降体とを有しており、前記昇降体に、前記ランバーガイドの左右両側に大きく張り出す左右長手の前記パッド部が、水平回動自在に取付けられている」
という構成になっている。なお、「姿勢変化」は変形も含んでいる。
【００１５】
請求項４の発明は、請求項１〜３のうちのいずれかにおいて、
「前記パッド部は、水平状の軸心回りに上下回動するパッド体を有している」
という構成になっている。
【００１６】
請求項５の発明は請求項４を具体化したものであり、この発明では、
「前記パッド体の上下回動に対して抵抗を付与する弾性体を備えている」
という構成になっている。
【００１７】
請求項６の発明は、請求項１〜５のうちのいずれかにおいて、
「前記背もたれに着座者の後ろ向き体圧が掛かっていない初期状態で、前記パッド部と背受け材との間に隙間が空くように設定されている」
という構成になっている。
【発明の効果】
【００１８】
本願各発明では、背もたれは、着座者の身体の捩じりや傾けに追従して平面視形状又は平面視姿勢が変化するが、ランバーサポート装置の支持部は背フレームと相対動するため、ランバーサポート装置が背もたれの変形又は姿勢変化を阻害することはない。従って、着座者が身体を捩じったり左右に傾けたりした場合でも、高いフィット性を確保できる。しかも、背もたれの平面視形状又は平面視姿勢に追従してパッド部の平面視姿勢が変化するため、パッド部との間でも高いフィット性を得ることができる。
【００１９】
そして、ばね体は左右に配置されているため、使用者が身体を捩じったり傾けたりしていない状態で、身体を安定的に支持できる。従って、執務状態で腰椎をしっかりと支えるというランバーサポート装置の機能は確保される。また、パッド部を初期姿勢に戻すことも確実化できる。
【００２０】
パッド部を水平回動させる構造は様々に具体化できるが、請求項２では、フレームとフロント部材とからなる中空部でランバーガイドが囲われているため、部材点数を抑制してコンパクト化できる利点がある。そして、請求項２では、ランバーガイドは、その上端は背支柱に連結されて下端は背フレームの下部の左右中間部に連結されているため、ロッキング椅子であっても、ランバーガイドと背もたれとの前後位置を変えることなく、背フレームが平面視でねじれ変形することを許容できる。その結果、身体の姿勢変化にパッド体の姿勢を追従させることが確実化できる。
【００２１】
請求項３の構成でも、背フレームの下端はその左右中間部がロア支持体に連結されているため、着座者の身体の姿勢変化に追従して背フレームが変形した姿勢変化したりすることが許容されている。更に、ランバーサポート装置のランバーガイドもロア支持体に設けているため、ランバーガイドと背もたれとの間隔を一定に保持して、パッド体による身体のサポート機能を確保できる。すなわち、背もたれのねじれを許容しつつ、的確なランバーサボート機能を確保できる。
【００２２】
そして、請求項３では、ランバーガイドは上端が自由端になっているため、昇降体の装着が容易である利点や、高さ調節機構と水平回動機構とを別々の部材が担っているため、それら高さ調節機能と水平回動機能とを確実化できる利点がある。
【００２３】
請求項４では、パッド体は、水平回動する（左右に首振りする）ことに加えて、水平状の軸心回りに上下に首振りするため、使用者に対するフィット性を向上できる。この場合、請求項５のように、パッド体の上下回動に対して弾性体で抵抗を付与すると、パッド体の安定性を向上できる。特に、請求項６のように初期状態でパッド部と背受け材との間に隙間を空けた場合は、請求項５のように弾性体で初期姿勢を保持しておくと、パッド体の倒れを防止して姿勢を維持できるため、特に有益である。
【００２４】
請求項６のように、初期状態において背受け材とパッド部との間に隙間を空けておくと、人が背もたれにもたれたときに、メッシュ材等の背受け材が着座者の体圧によって後ろに凹むように変形してから、背受け材がパッド体に当たるため、クッション性を更に向上できる利点がある。
【図面の簡単な説明】
【００２５】
【図１】第１実施形態を示す図で、（Ａ）は手前から見た全体斜視図、（Ｂ）は一部省略側面図である。
【図２】（Ａ）は正面図、（Ｂ）は背面図である。
【図３】（Ａ）は平面図、（Ｂ）は後ろから見た斜視図である。
【図４】椅子の分離斜視図である。
【図５】背もたれを中心にした縦断側面図である。
【図６】（Ａ）は図５のうち矢印Ａで指した部分の拡大詳細図、（Ｂ）は図５のうち矢印Ｂて指した部分の拡大詳細図、（Ｃ）は図５のうち矢印Ｃで指した部分の拡大詳細図である。
【図７】（Ａ）はランバーサポート装置を手前から見た分離斜視図、（Ｂ）はランバーサポート装置の一部を後ろから見た分離斜視図、（Ｃ）はランバーガイド体の部的な正面図、（Ｄ）はロック体の背面図である。
【図８】（Ａ）（Ｂ）はランバーサポート装置を手前から見た一部省略分離斜視図、（Ｂ）はパッド部の分離斜視図、（Ｃ）は部分的な分離斜視図である。
【図９】（Ａ）はランバーサポート装置の部分斜視図、（Ｂ）はパッド体のランバーフレームとの分離斜視図、（Ｃ）はパッド体の裏面図である。
【図１０】（Ａ）はランバーフレームの部分斜視図、（Ｂ）はランバーフレームと連結バーの分離斜視図、（Ｃ）はパッド体をランバーフレームに取り付けた状態での図９（Ｃ）のＣ−Ｃ視断面図である。
【図１１】図５の XI-XI視平断面図である。
【図１２】第２実施形態を示す図で、（Ａ）は手前から見た斜視図、（Ｂ）は後ろから見た斜視図、（Ｃ）は側面図、（Ｄ）は背面図である。
【図１３】パッド体の動きを示す平面図である。
【図１４】（Ａ）は椅子の分離斜視図、（Ｂ）はランバーサポート装置の配置状態を示す斜視図である。
【図１５】（Ａ）は後ろから見た分離斜視図、（Ｂ）は背支柱とベース部との後ろからの分離斜視図である。
【図１６】（Ａ）はランバーサポート装置の正面図、（Ｂ）は（Ａ）のＢ−Ｂ視断面図である。
【図１７】（Ａ）はランバーサポート装置の斜視図、（Ｂ）はランバーサポート装置の分離斜視図、（Ｃ）はランバー支柱の上端部の斜視図である。
【図１８】（Ａ）は後ろから見た分離斜視図、（Ｂ）は前から見た分離斜視図である。
【図１９】図１６のXIX-XIX 視断面図である。
【図２０】図１６の XX-XX視断面図である。
【発明を実施するための形態】
【００２６】
次に、本願発明の実施形態を図面に基づいて説明する。本実施形態は、オフィスで多用されている回転椅子に適用している。本願では方向を特定するため前後・左右の文言を使用するが、この方向は椅子に普通に着座した人から見た状態を基準にしている。正面視は、着座者と対向した方向である。
【００２７】
(1).第１実施形態の概要
まず、第１実施形態の椅子の概要を、主として図１，２に基づいて説明する。本実施形態は、オフィスで多用されている回転椅子に適用している。この椅子は、座１と背もたれ２とキャスタ付き脚装置３とを備えている。脚装置３はガスシリンダより成る脚支柱４を有しており、図１（Ｂ）に示すように、脚支柱４の上端に、ベース部を構成する固定ベース５が取り付けられている。
【００２８】
固定ベース５のうち脚支柱４よりも手前の部位に、傾動ベース６が左右長手の第１軸７（図１（Ｂ）参照）によって連結されており（実際には、第１軸７は側面視においては隠れていて見えない。）、傾動ベース６の後端部に背支柱８が固定されている。従って、背支柱８は第１軸７を支点にして後傾動する。背支柱８は、樹脂製でもよいし、アルミダイキャスト品のような金属製であってもよい。傾動ベース６も、金属製又は樹脂製である。
【００２９】
背もたれ２は、前後に開口した背フレーム９にメッシュ材１０を張った構造である。メッシュ材１０は、請求項に記載した背受け材の一例である。背フレーム９は合成樹脂製であり、上下長手の左右サイドメンバー１１と、その上端に一体に繋がったアッパメンバー１２と、左右サイドメンバー１１に連結されたロアメンバー１３と、左右のサイドメンバー１１の上寄り部位に繋がったミドルメンバー１４とを有している。ミドルメンバー１４は正面視でＶ形になっており、ミドルメンバー１４の下端部１４ａと背支柱８の上端部とが、左右長手の第２軸１５（図１（Ｂ）参照）によって連結されている。
【００３０】
図５に部分的に示すように、座１は、座インナーシェル１６に座クッション１７を張った構造であり、座インナーシェル１６は座アウターシェル１８（図１（Ｂ）も参照）に取り付けられている。座アウターシェル１８は前後３の部材で構成されており、前後中間部の部材が座受け体（図示せず）に固定されており、座受け体は、背支柱８の後傾動に連動して、後退しつつ後傾する。
【００３１】
図４，５に示すように、座アウターシェル１８の後端と背フレーム９のロアメンバー１３とは、左右長手の第３軸１９によって連結されている。そして、背フレーム９のサイドメンバー１１は、着座者の体圧によって側面視姿勢及び正面視姿勢が変化するように変形可能であるが、本願との関連はないので、説明は省略する。
【００３２】
図１（Ｂ）に示すように、傾動ベース６の後端部に、背支柱８の下端を構成する前向き部８ａが固定されている。固定ベース５の内部には、ロッキング用ばねが配置されているが、図では省略している。
【００３３】
背もたれ２は、背フレーム９とメッシュ材１０とを備えている。メッシュ材１０の外周縁には樹脂テープのような縁部材が逢着等によって固定されており、縁部材が背フレーム９に取付けけられている。
【００３４】
背フレーム９の上部は、正面視で内向きに窄まったくびれ部２０を有しており、ミドルメンバー１４はくびれ部２０に繋がっている。また、サイドメンバー１１は薄型になっており、前面には、サイドカバー２１が固定されている。サイドメンバー１１の下端は、ロアメンバー１３の左右両端にピン２２（図４参照）で連結されている。
【００３５】
図４に示すように、背フレーム９におけるロアメンバー１３の左右両端部には下向きのブラケット部１３ａが形成されており、ブラケット部１３ａが、アウターシェル１８の後端に第３軸１９によって連結されている。図４に示すように、背フレーム９のロアメンバー１３には、手前からロアカバー２３が重ね固定されている。
【００３６】
(2).ランバーサポート装置の概要
背もたれ２は、ランバーサポート装置を備えている。ランバーサポート装置は、メッシュ材１０を介して着座者を後ろから支えるパッド部３１と、パッド部３１が高さ調節自在に取付けられたランバーガイド体（ランバー支柱）３２とを有しており、ランバーガイド体３２の上端はミドルメンバー１４と背支柱８との連結部の箇所に連結されており、ランバーガイド体３２の下端はロアメンバー１３に連結されている。また、ランバーガイド体３２は帯板状の形態を成しており、側面視で手前に突出するように全体的には緩く湾曲している。
【００３７】
着座者が背もたれ２にもたれ掛かっていない非ロッキング状態では、ランバーガイド体３２には上下方向の外力は作用していない。従って、パッド部３１の前後位置は変化することなく、メッシュ材１０を介して着座者の体圧を支持する（但し、ランバーガイド体３２の側面視姿勢によっては、高さが変わると前後位置も一緒に変化することがあり得る）。
【００３８】
背もたれ２が後傾すると、第２軸１５は後退しつつ下降し、第３軸１９も下降する。従って、第２軸１５と第３軸１９との間隔で変化するが、この場合、間隔が広がる場合と間隔が狭まる場合とがあり、本実施形態では間隔が狭まっている。
【００３９】
従って、ロッキング時にはメッシュ材１０はたるみ気味になるが、第２軸１５と第３軸１９との間隔で狭まると、ランバーガイド体３２の曲がりの程度が大きくなってパッド部３１を手前に押し出すように作用する。これにより、メッシュ材１０が弛み過ぎることを防止できる。その結果、身体に対するホールド性が過剰に高くなることを防止できる。
【００４０】
背もたれ２は、背支柱８の上端よりも上に位置した部分を有している。背もたれ２が後傾したきった状態で着座者が上半身を伸ばすなどして、図１（Ｂ）に黒抜き矢印で示すように、背もたれ２のうち背支柱８の上端よりも上に位置した上部に体圧が作用することがあるが、この場合は、背もたれ２が第２軸１５を支点にして後傾し得る。すなわち、背支柱８が後傾しきってから、背もたれ２が更に後傾し得る（二重ロッキングする）。従って、高い安楽性を確保することができる。
【００４１】
そして、背もたれ２が第２軸１５を支点にして後傾すると、背フレーム９の下端は手前に回動しようとするが、背フレーム９の下端は第３軸１９によって前進動不能に規制されているため、背フレーム９の山形部は外側に広がり変形しようとする。また、背もたれ２が後傾動すると、図１（Ｂ）に黒抜き矢印で示すように、ランバーガイド体３２は曲がりの程度を大きくするに変形する。これにより、パッド部３１は前進する傾向を呈して、着座者の腰部がしっかりと支えられる。
【００４２】
結局、背もたれ２は、背支柱８の後傾動による一次ロッキングと、背支柱８が後傾しきってから背もたれ２のみが後傾する二次ロッキングとを行い得るが、二次ロッキング時にパッド部３１が前進するため、着座者の上半身を伸ばした状態に適切に支えて、高い安楽性を確保できるのである。
【００４３】
(3).ランバーサポート装置の詳細
次に、主として図６以下の図面を参照してランバーサポート装置を説明する。ランバーガイド３２は、樹脂製又は金属板からなっていて上下に長い帯状であるが、図５のとおり、全体としては、側面視で手前に向けて湾曲している。正確には、上部が湾曲している。このため、上下方向に掛かった外力によって変形し得る。ランバーガイド３２のうち、パッド体３９が上下動する部分は、側面視でほぼ直線姿勢になっている。
【００４４】
ランバーガイド３２の上端部３２ａは、ミドルメンバー１４の下端部に連結されている。すなわち、例えば図６（Ａ）に示すように、ミドルメンバー１４の下端に、背支柱８の上端に設けた軸受けボス部３３が入り込む軸受け凹部３４が、下方及び後方に開口するように形成されており、軸受け凹部３４の上部に設けた係合ピン（図示せず）に、図７（Ａ）に示す係合穴３２ｃを嵌め込んで、ミドルメンバー１４と軸受けボス部３３との間に挿入係止したストッパー部材３５より、抜け不能に保持している。
の上端部３２ａが抜け不能に固定されている。
【００４５】
図６（Ｂ）のとおり、ランバーガイド３２の下端部３２ｂは、ロアメンバー１３とロアカバー２３との間に挟まれており、ビス３７で抜け不能に固定されている。なお、ランバーガイド３２の上端部３２ａは、背支柱８の軸受けボス部３３等にビス等のファスナで固定してもよいし、ミドルメンバー１４の下端にビス等のファスナで固定してもよい。
【００４６】
例えば図７に示すように、パッド部３１は、ランバーガイド３２に後ろから覆う状態で左右に長い姿勢のフレーム３８と、フレーム３８の左右両端部に掛け渡されたパッド体３９と、ランバーガイド３２を前から覆う状態でフレーム３８に固定されたフロント部材４０とを備えている。他方、請求項に記載した支持部は、ランバーガイド３２とこれを後ろから抱持する昇降体４１とで構成されている。
【００４７】
パッド体３９は、エラストマーのような軟質樹脂からなっている。フレーム３８に、平面視で手前に凹むように湾曲しており、左右両側の部分は開口している。従って、メガネ形になっている（なお、開口していなくてもよい。）。
【００４８】
フレーム３８は平面視で大きく湾曲しているのに対して、パッド体３９はほぼ平坦状になっている。従って、パッド体３９は、両端支持の状態で左右両端部のみがフレーム３８に取付けられている。そして、パッド体３９の取付け構造として、例えば図９（Ｂ）（Ｃ）や図１０に明示するように、フレーム３８に外向きに突出した係合爪４２を多段に形成する一方、パッド体３９には、係合爪４２が入り込むポケット部４３を形成している。
【００４９】
例えば図１０（Ａ）（Ｂ）に明示するように、フレーム３８の下端はジョイントバー４４で連結されている。ジョイントバー４４には、最下端の係合爪４２に引っ掛かりに係合するフック部４５を形成している。ジョイントバー４４の存在により、フレーム３８の広がり変形が防止されていると共に、パッド体３９の下端縁の曲がり変形が阻止されている。パッド体３９は、着座者の体圧が掛かると、後ろに凹むように伸び変形し得るが、下端縁では変形はせずに、上に行くに従って変形しやすさが大きくなっている。
【００５０】
例えば図８に示すように、フレーム３８の左右中間部には、リブの群からなるガイド壁部４６が形成されており、左右のガイド壁部４６の間に、ランバーガイド３２を抱持する昇降体４１の前部が配置されている。すなわち、昇降体４１は、例えば図１１に明示するように、ランバーガイド３２の左右両側において前向きに突出した側壁４１ａを有しており、左右の側壁４１ａに、ランバーガイド３２の手前に位置する左右の係合爪４７を相対向するように形成している。従って、昇降体４１には、ランバーガイド３２を抱持する左右の蟻溝が形成されている。
【００５１】
図１１に明示するように、昇降体４１の左右側面とフレーム３８のガイド壁部４６との間には、若干の寸法Ｅ１の隙間が空いている。従って、フロント部材４０とフレーム３８とは、図１１に一点鎖線で示すように、ある程度の角度で水平回動（水平旋回）できる。
【００５２】
図７（Ｂ）や図８（Ｂ）（Ｃ）に示すように、昇降体４１の左右両側面には、上下複数の外向きリブ４８を突設している。他方、例えば図８（Ｂ）に示すように、フレーム３８は、昇降体４１の左右両側において前向きに突出したガイド壁部４６を有するが、このガイド壁部４６はリブの群で構成されており、従って、隣り合ったリブの間に溝か形成されているが、ガイド壁部４６の溝に、昇降体４１の外向きリブ４８が前後スライド可能に嵌まっている。従って、昇降体４１は、フレーム３８に対して、上下動不能でかつ前後動可能に装着されている。
【００５３】
昇降体４１に設けた係合爪４７は下端が自由端になっており、下端部は、内向に突出した山形になっている。他方、ランバーガイド３２に、係合爪４７が弾性変形して係脱する左右の凹凸部４９が、前向きに突設されている（見方を変えて述べると、上下長手のリブに、正面波形の凹凸部４９が形成されている。）。
【００５４】
(4).昇降ロック機構
昇降体４１の手前にフロント部材４０が配置されているが、フロント部材４０は、図８（Ｂ）に示すように、左右のビス５０により、フレーム３８のガイド壁部４６に固定されている。図１１に明示するように、フロント部材４０と昇降体４１との間にはある程度の間隔Ｅ２（数ｍｍ）が空いており、フロント部材４０及びフレーム３８は、昇降体４１及びランバーガイド３２に対してある程度の寸法だけ前後動し得る。
【００５５】
また、図８（Ｂ）（Ｃ）及び図１１のとおり、フロント部材４０と昇降体４１との間には、左右のばね（コイルばね）５１が配置されている。従って、フロント部材４０は、昇降体４１及びランバーガイド３２から離反する方向に付勢されており、パッド体３９に着座者の体圧が掛かると、フロント部材４０はランバーガイド３２に密着する。フロント部材４０と昇降体４１とには、ばね受け５２を形成している。なお、コイルばね５１に代えて、ゴム等の他の弾性体を使用してもよい。
【００５６】
図８（Ｃ）や図７（Ｃ）、図１１から理解できるように、ランバーガイド３２の前面に、縦長中心線に沿って延びるセンター係合溝５３と、その両側に位置したロック溝５４とが、前向きリブの群によって形成されている。センター係合溝５３は上下に長く一連に延びている一方、ロック溝５４は、凹凸部４９に対応して多段に形成されており、両者は互いに連通している。
【００５７】
他方、図８（Ａ）や図７（Ｄ）、図１１のとおり、フレーム３８の後面には、センター係合溝５３の後ろに位置したセンターリブ５５と、センターリブ５５の左右外側に位置した上下のロック突起５６とを形成している。センターリブ５５はセンター係合溝５３に嵌脱可能であり、上下のロック突起５６は、上下に離反した２つのロック溝５４に嵌脱可能である。
【００５８】
すなわち、ロック溝５４の上下ピッチは凹凸部４９のピッチと同じであり、上下のロック爪９５の間隔は、ロック溝５４及び凹凸部４９のピッチの整数倍になっている。ロック突起５６がロック溝５４に嵌まると、フレーム３８及びパッド体３９は上下動不能に保持される。
【００５９】
(5).第１実施形態のまとめ
本実施形態では、背もたれ２の左右側部は、図１（Ａ）に実線の矢印及び点線の矢印で示すように、水平方向に回動し得る。従って、平面視での形状が変化して着座者に対するフィット性が向上する。この形状の変化は、ロッキングによっても生じるが、着座者が身体を捩じったり左又は右に傾けたりすることによっても生じる。
【００６０】
そして、ランバーガイド３２は、弾性変形して背フレーム９と相対動し得るため、ランバーサポート装置は、ロッキングや着座者が身体を捩じったり左又は右に傾けたりすることに起因した背もたれ２の形状・姿勢の変化を阻害しない。従って、背もたれ２のフィット性向上を確実できる。
【００６１】
そして、既述のとおり、昇降体４１の左右側面とフレーム３８のガイド壁部４６との間に寸法Ｅ１の隙間が空いていることにより、パッド部３１は、ある程度の角度で水平回動（水平旋回）できる。従って、着座した人が上半身をメッシュ材１０に当てた状態で、上半身を左又は右に捩じったり、正面視で上半身を左又は右に傾けたりして背もたれ２の平面視形状が変化すると、パッド体３９は、身体の姿勢変化及び背もたれ２の形状変化（或いは姿勢変化）に追従して水平回動する。従って、背もたれ２に対する身体のフィット性を高めつつ、身体に対するパッド体３９の快適な当たり感を確保できる。従って、使い心地に優れている。
【００６２】
本実施形態では、背フレーム９の左右サイドメンバー１１は、着座者の体圧によって弾性変形したり、ピン２２で連結された下端を中心にして後ろに回動するように構成されている。このため、着座した人が上半身を左又は右に捩じったり、上半身を左又は右に傾けたりすると、着座者の姿勢変化に追従して容易に変形し得る。そして、背フレーム９の変形に追従してパッド体３９が水平回動するため、着座した人は、パッド体３９の左又は右の端部による突っ張り感を受けることはない。このため、使用感に優れていて快適である。
【００６３】
本実施形態では、パッド体３９は寸法Ｅ２だけ後退動するため、身体の姿勢変化に対する追従性が更に優れていて好適である。また、パッド体３９はばね５１の弾性に抗して寸法Ｅ２だけ後退動するため、身体の姿勢変化とは関係なく、クッション性を向上できる利点もある。
【００６４】
また、本実施形態では、フレーム３８の左右中間部はランバーガイド３２の後ろに位置しているため、メッシュ材１０とランバーガイド３２との間隔をできるだけ小さくしつつ、パッド部の昇降を確実化できる。従って、ランバーガイド３２の前後位置が予め決まっている場合でも、ランバーサポート装置を適用できる。
【００６５】
また、本実施形態では、パッド体３９はフレーム３８と別部材になっているため、パッド体３９は、エラストマーのように身体への当たり感に優れた素材で構成できる。従って、使用感を更に向上できる利点がある。
【００６６】
本実施形態では、パッド体３９に着座者の体圧が掛かっていない状態では、ロック突起５６はロック溝５４から離脱しているため、係合爪４７を弾性変形させて任意の高さに調節することが軽い力で行われる。従って、パッド体３９は、高さ調節の容易性を損なうことなく、着座者の体圧によってずれ動くこと（特に、ずり下がること）を確実に防止できる。実施形態のように、昇降体４１にセンターリブ５５を設けると、ロック突起５６を正確に位置決めできるため、ロック動作を確実化できる利点がある。
【００６７】
ランバーガイド３２の上端部３２ａは、背支柱８の軸受けボス部３３に連結することも可能である。パッド体３９の高さ調節機構及びロック機構とも、他の様々な構造を採用できる。高さ調節手段としては、係合爪に代えて、例えば、ボールをばねで付勢したボールキャッチ構造等を採用することも可能である。
【００６８】
更に、パッド体やランバーガイドの形態も、その機能を有する範囲で種々の形態を採用できる。例えば、ランバーガイドは、パイプ状や樋状などの形態とすることも可能である（ランバーガイド体を左右２本の部材で構成することなども可能である。）。パッド体３９とフレーム３８と一体品に製造することも可能である。
【００６９】
(6).第２実施形態の概要
次に、図１２以下に示す第２実施形態を説明する。本実施形態では、符号は第１実施形態とは独立して付与している。まず、椅子の概要を説明する。椅子は、第１実施形態と同様に、脚装置１と座２と背もたれ３とを備えている。
【００７０】
図１４，１５から理解できるように、脚支柱４の上端に固定ベース５が固定されており、この固定ベース５に、図１５（Ａ）に示す可動ベース６が、水平状の軸心Ｏを中心にして後傾動するように連結されている。図１５（Ａ）のとおり、可動ベース６には、座受け金具６ａが固定されている。
【００７１】
可動ベース６の後部には、カバーを兼用するシェル状のジョイント部材６ｂが固定されており、ジョイント部材６ｂの後部に形成した左右の凹所６ｃに、背支柱７の下端に形成した左右のボス８を後ろから嵌め込んで、背支柱７の下端とジョイント部材６ｂとがビスで固定されている。なお、背支柱７のボス８は、凹所６ｃに対して後傾動不能に嵌合している。
【００７２】
なお、可動ベース６とジョイント部材６ｂとは一体化することも可能であり、両者を纏めて傾動部材と呼ぶことも可能である。また、ジョイント部材６ｂと背支柱７とを一体化することも可能であり、この場合は、ジョイント部材６ｂは背支柱７の下端部と呼ぶことができる。
【００７３】
背支柱７は、左右の縦長メンバーを有していて両者は上端と下端とにおいて繋がっている。従って、背支柱７は、前後に開口した枠状に形成されており、左右の縦長メンバーの間隔は、上に向けて狭まっている。
【００７４】
背もたれ３は、前後に開口した略矩形の背フレーム９と、この背フレーム９に張ったメッシュ材１０とを有しており、背フレーム９のアッパメンバー１１が背支柱７の上端に固定されている。なお、背フレーム９は、前後に開口した本体部と、これに前から重なったカバー部材とで構成されており、メッシュ材はカバー部材に取付けられている。従って、アッパメンバー１１も二重構造になっている。
【００７５】
図１４（Ｂ）及び図１５（Ｂ）に示すように、背支柱７の上端には、背フレーム９におけるアッパメンバー１１の本体部が固定される枝フレーム１２を設けている。なお、背フレーム９を構成するカバー部材は、左右側部と上部とが一体に繋がった下向き開口コ字形の部分と、本体部の下部（ロアメンバー）１４に重なった下カバーとを有している。
【００７６】
他方、例えば図１５に示すように、請求項に記載したロア支持体の一例として、ジョイント部材６ｂの後部でかつ左右中間部に上向きの支柱フレーム１３を固定し、この支柱フレーム１３の上端部に、背フレーム９における本体部の下部１４が連結されている。
【００７７】
すなわち、図１６（Ｂ）に示すように、支柱フレーム１３の上端に、前向きに突設した軸受け部１６を形成し、軸受け部１６に、鍵穴状の切り開き溝１７を形成している一方、背フレーム９における本体部の下部１４には左右の後ろ向きボス１４ａを設けて、左右の後ろ向きボス１４ａに、小判形のピン部１９を設けている。ピン部１９は、背フレーム９を使用状態とは異なる姿勢にすると切り開き溝１７に嵌まって、背フレーム９を使用状態に戻すと切り開き溝１７から抜けないようになっている。
【００７８】
背フレーム９の下端は左右中間部において支柱フレーム１３に連結されているため、大まかには、背フレーム９は、上端の左右２か所と下端の１か所との三点支持の状態で背支柱７に連結された状態になっている。このため、背もたれ３は、左右側部が後ろに後退するように、着座者の体圧によって容易に変形できる。
【００７９】
従って、背もたれ３は、着座者が凭れた状態で身体を捩じったり、左又は右に傾けたりすると、着座者の身体の支配変化に追従して、平面形状又は姿勢が変化し得る。すなわち、背もたれ３は、全体の形状を変えることなく平面視姿勢が変化したり、左側部又は右側部が部分的に後退して、平面形状が変化したりする。
【００８０】
(7).ランバーサポート装置の基本構造
支柱フレーム１３に、ランバーサポート装置２１を取り付けている。この点を次に説明する。図１８に示すように、ランバーサポート装置２１は、支柱フレーム１３に固定されたランバーガイド２２と、ランバーガイド２２に上下動自在に装着した昇降体２３と、昇降体２３にカバー２４を介して装着した軸受け部材２５とを備えており、図１７や図１９に示すように、軸受け部材２５に、水平姿勢のピン（ボルト）２６を介してパッド体２７が上下回動自在に連結されている。
【００８１】
ランバーガイド２２と昇降体２３とカバー２４と軸受け部材２５とは、請求項に記載した支持部を構成している。ランバーガイド２２の上端は自由端になっており、昇降体２３は、ランバーガイド２２に上から嵌め込み装着されている。また、パッド体２７と軸受け部材２５とは、請求項に記載したパッド部を構成している。図１７に示すように、パッド体２７は、平面視では前向きに凹むように緩く沿っており、側面視では、前向きに突出するように緩く湾曲している。
【００８２】
図１７に示すように、ランバーガイド２２には、左右の下向き足体２８が一体に形成されている一方、支柱フレーム１３の軸受け部１６に、ランバーガイド２２の足体２８が上から差し込まれる左右の受け穴２９が形成されており、図１６に示すように、受け穴２９に貫通した足体２８は、支柱フレーム１３に設けたボス部３０にビス３１で固定されている。
【００８３】
支柱フレーム１３は樹脂製であり、軸受け部１６の下方には複数の補強リブ３２が形成されていて、ボス部３０は、隣り合った補強リブ３２で形成された縦溝の底面に設けている。
【００８４】
足体２８は左右横長の平断面形状であるが、ランバーガイド２２の下端のうち左右の足体２８の手前部位に、前後長手の平断面形状の左右第１補強足３３が下向きに突設されており、第１補強足３３は、支柱フレーム１３の軸受け部１６に形成した角形の第１係合穴３４に挿通されている。第１補強足３３の下端には、抜け止め爪３５が相対向するように内向きに形成されている。
【００８５】
従って、第１補強足３３は、その弾性に抗して第１係合穴３４に差し込まれると共に、差し込みきると、抜け止め爪３５が係合穴３４から離脱して元の姿勢に戻り、上向き抜け不能に保持される。第１補強足３３は前後に長い断面形状であるため、着座した人の体圧によってランバーガイド２２に後ろ向きの力が作用したとき、ランバーガイド２２の後傾動に対する抵抗として作用する。
【００８６】
図１７（Ａ）（Ｂ）に示すように、支柱フレーム１３の上端部は、軸受け部１６の上に突出した上向き張り出し部１３ａになっており、ランバーガイド２２の下端には、上向き張り出し部１３ａと軸受け部１６とで構成された段部に嵌まる受け座３６が形成されており、足体２８及び第１補強足３３は、受け座３６から下方に突出している。
【００８７】
また、図１７（Ａ）（Ｂ）に示すように、支柱フレーム１３の上向き張り出し部１３ａは、平面視円弧状の前向きリブ３８が形成されている一方、ランバーガイド２２の受け座３６には、前向きリブ３８に嵌まる凹溝３９が形成されている。なお、前向きリブ３８は支柱フレーム１３の全長にわたって形成してもよい。
【００８８】
更に、図１７（Ｂ）（Ｃ）に示すように、ランバーガイド２２の受け座３６に、左右の足体２８の左右外側に位置した第２補強足４０を下向に突設している一方、支柱フレーム１３の上端には、第２補強足４０が嵌まる第２係合穴４１を設けている。従って、ランバーガイド２２は、左右の足体２８と左右の補強足３３，４０とにより、支柱フレーム１３に対して強固に取付けられている。
【００８９】
(8).パッド部の可動構造
図１８（Ｂ）に明示するように、ランバーガイド２２の左右両側部には、Ｌ形のガイドリブ４３を前向きに設けることによって蟻溝４４を形成している一方、昇降体２３には、蟻溝４４に外側から入り込む抱持片４５を一体に形成している。そして、昇降体２３は樹脂製であるが、後ろ向きに突出したばね板４６を一体に形成して、ばね板４６の上下中間部に左右長手の係合突起４７を突設している一方、ランバーガイド２２の前面に、係合突起４７が嵌脱する係合溝４８を多段に形成している。
【００９０】
従って、昇降体２３は、ばね板４６を弾性変形させることによって上下動可能であり、係合突起４７がいずれかの係合溝４８に嵌まることにより、所望の高さに保持される。
【００９１】
図１８に示すように、カバー２４は正面視角形であり、対角位置に配置した２本のビス４９によって昇降体２３に固定されている。ビス４９は、昇降体２３を後ろから貫通しており、カバー２４に形成したボス５０にねじ込まれている。図１８（Ａ）に示すように、昇降体２３とカバー２４とは、上部と下部とに形成した位置決めピン２３ａ及び位置決め穴２４ａとの嵌まり合いにより、所定の姿勢に保持されている。
【００９２】
カバー２４には左右横長で角形の貫通穴５１が空いており、貫通穴５１から軸受け部材２５が前向きに突出している。軸受け部材２５は、カバー２４の後面に当たるフランジ５２を有している。従って、カバー２４から前向き抜け不能に保持されている。
【００９３】
図１８（Ａ）や図２０に示すように、カバー２４の前面には、軸受け部材２５のフランジ５２を囲う後ろ向きリブ５３が形成されており、図２０のとおり、軸受け部材２５のフランジ５２とカバー２４の後ろ向きリブ５３との間には、若干の隙間が存在している。また、貫通穴５１の内周と軸受け部材２５の外周との間にも、若干の隙間が存在している。
【００９４】
軸受け部材２５は左右の支持部５４を有しており、パッド体２７に設けた後ろ向きボス部５５と左右の支持部５４とが、既述のとおり、ピン（支軸）としての左右長手のボルト２６で連結されている。ボルト２６は、ナット５７によって抜け不能に保持されている。図１８（Ｂ）に示すように、ナット５７は、軸受け部材２５における一方の支持部５４に形成したポケット穴５８に、回転不能で抜け不能に嵌め込まれている。
【００９５】
図１８（Ｂ）のとおり、軸受け部材２５のうち左右の支持部５４で挟まれた部位には、前向きに開口した凹所５９が形成されており、この凹所５９に、弾性体の一例としてのゴム（チェラスト）６０を嵌め入れている。図１９に示すように、ゴム６０は、パッド体２７のボス部５５に対して弾性的に突っ張っている。従って、パッド体２７の上下回動に対しては、ゴム６０の摩擦による抵抗が付与されている。
【００９６】
昇降体２３と軸受け部材２５との間には、左右長手で矩形のトレー状のばね受け６１が配置されており、ばね受け６１と軸受け部材２５との間に、左右のばね体（圧縮コイルばね）６２を介在させている。ばね受け６１も、請求項に記載した支持部を構成している。図１８（Ａ）（Ｂ）のとおり、軸受け部材２５には、ばね体６２の端部が挿入される嵌まるばね受け穴２５ａが形成されて、ばね受け６１には、ばね体６２が外側から嵌まるばね受け突起６３が形成されている。
【００９７】
ばね受け６１の外周はフランジ６１ａで構成されており、フランジ６１ａで囲われた後ろ向きの部位が、昇降体２３に形成した角形の抜き穴６４に嵌まっている。このように、ばね受け６１は、昇降体２３に手前から部分的に嵌まり込んでいるため、パッド部を、全体として前後幅を小さくしてコンパクト化できる。
【００９８】
図１６（Ａ）、図１７（Ａ）、図１８に示すように、ランバーガイド２２の上端部には、昇降体２３の上向き移動位置を規制する正面視略角形のストッパー６６が装着されている。ストッパー６６は、その大部分がランバーガイド２２における左右のガイドリブ４３の間に入り込んでおり、上端には、ランバーガイド２２の上面に重なる左右の庇片６６ａを設けている。
【００９９】
そして、ストッパー６６の左右外側に突設した突起６８と、ランバーガイド２２におけるガイドリブ４３の内側面に設けた凹所６９とを嵌合させることにより、ストッパー６６を上下動不能に保持している。また、庇片６６ａに設けた下向き突起７０を、ランバーガイド２２の外向き蟻溝に上から嵌め込むことにより、前向き抜けを防止している。従って、ストッパー６６は、その弾性に抗して変形させることにより、ランバーガイド２２に取付けられている。
【０１００】
(9).第２実施形態のまとめ
本実施形態においても、既述のとおり、着座者が背もたれ３にもたれ掛かった状態で身体を捩じったり左右に傾けたりすると、背もたれ３は、使用者の姿勢変化に追従して平面視形状又は姿勢が変化するが、ランバーガイド２２は、背フレーム９とは独立した支柱フレーム１３に取付けられているため、背もたれ３の形状変化や姿勢変化をランバーサポート装置が阻害することはない。従って、着座者の身体に対する背もたれ２のフィット性を向上できる。
【０１０１】
そして、本実施形態において、パッド体２７は、着座者の体圧が掛かると、軸受け部材２５と一緒にばね体６２を圧縮させて少し後退するが、人が上半身を捩じったり左右に傾けたりすると、図２０に白抜き矢印と黒抜き矢印とで示すように、パッド体２７に対して身体が片当たり状態になる。
【０１０２】
すると、カバー２４と軸受け部材２５との間に若干の隙間が存在していることにより、図２０に一点鎖線で示すように、パッド体２７及び軸受け部材２５は水平回動する（水平方向に首振りする。）。これにより、使用者の上半身の姿勢変化にパッド体２７の姿勢が追従して、快適な使用感を得ることができる。本実施形態でも、パッド体２７は若干後退しつつ水平回動し得るため、クッション性に優れている。図１３でもパッド体２７が水平回動した姿勢を表示しているが、図１３では、少し誇張している。
【０１０３】
図１９に示すように、本実施形態では、使用者の体圧がメッシュ材１０に掛かっていない状態で、メッシュ材１０とパッド体２７との間には若干の間隔の隙間６５が空いている。従って、メッシュ材１０が少し伸び変形してから着座者の体圧がパッド体２７に作用する。このため、メッシュ材１０を利用したクッション性を享受して、快適性を向上することができる。
【０１０４】
また、パッド体２７の高さが変わるとメッシュ材１０の曲がり状態も変化するが、本実施形態では、パッド体２７は上下回動できるため、図１９に示すように、縦断側面視において、メッシュ材１０の姿勢変化に追従してパッド体２７の頂点２７ａの位置を変化させて、メッシュ材１０の曲がり状態の変化にパッド体２７の姿勢を追従させることができる。このため、身体へのフィット性を更に向上できる。
【０１０５】
また、パッド体２７は、ゴム６０によって姿勢が軽く保持されているため、パッド体２７とメッシュ材１０との間に隙間６５が存在しても、パッド体２７が上下にふらつくことはない。従って、パッド体２７が動き過ぎて人に違和感を与えることを防止できる。
【０１０６】
パッド体２７の高さ調節は、昇降体２３を左右から摘んで上又は下に動かすことによって行える。そこで、例えば図１８に示すように、昇降体２３の左右側面に、人の指の引っ掛かりを良くするための水平リブ６７を多段形成すると共に、昇降体２３の上端部と下端部を左右向きに少し突出させている。昇降体２３の上端部と下端部が左右向きに突出していることにより、指の滑りを防止できる。パッド体２７の高さ調節手段としては、パッド体２７の裏面に左右の摘み片を形成することも可能である。
【０１０７】
背フレーム９の下部（ロアメンバー）１４は、背支柱７の下端部に連結することも可能である。すなわち、ロア支持体を背支柱７とすることも可能である。背フレーム９の下端を支柱フレーム１３に連結した場合でも、ランバーサポート装置のランバーガイド２２を背支柱７に固定することは可能である。但し、本実施形態のように、ランバーガイド２２を支柱フレーム１３に設けると、構造を簡単化できる利点がある。
【０１０８】
本願発明は、上記の実施形態の他にも様々に具体化できる。例えば、支持部としては、必ずしも専用のランバーガイドを設ける必要はないのであり、第２実施形態のように背支柱を有する場合、背支柱にパッド部を取り付けることも可能である。パッド部も、様々な構造を採用できる。ばね体は、複数対設けることも可能である。
【０１０９】
第２実施形態では、パッド体２７は上下中間部を支点にして上下に回動するようになっているが、回動支点を上側又は下側にずらすことも可能である。
【産業上の利用可能性】
【０１１０】
本願発明は、椅子に具体化できる。従って、産業上利利用できる。
【符号の説明】
【０１１１】
［第１実施形態］
２  背もたれ
９  背フレーム
１０  メッシュ材
３１  ランバーサポート装置を構成するパッド部
３２  支持部を構成するランバーガイド
３８  パッド部を構成するフレーム
３９  パッド部を構成するパッド体
４０  パッド部を構成するフロント部材
４１  支持部を構成する昇降体
［第２実施形態］
３  背もたれ
６ｂ  ジョイント部材
７  背支柱
９  背フレーム
１３  ロア支持体の一例としての支柱フレーム
１４  背フレームの下部（ロアメンバー）
２１  ランバーサポート装置
２２  支持部を構成するランバーガイド
２３  支持部を構成する昇降体
２４  支持部を構成するカバー
２５  支持部を構成する軸受け部材
２６  ボルト（ピン）
２７  パッド体
２８  足体
４６  ばね板
４７  係合突起
４８  係合溝
６０  ゴム（弾性体）
６１  支持部を構成するばね受け
６２  ばね体
６５  パッド体とメッシュ材との間の隙間
【図１】
2019084337.tif 000003
【図２】
2019084337.tif 000004
【図３】
2019084337.tif 000005
【図４】
2019084337.tif 000006
【図５】
2019084337.tif 000007
【図６】
2019084337.tif 000008
【図７】
2019084337.tif 000009
【図８】
2019084337.tif 000010
【図９】
2019084337.tif 000011
【図１０】
2019084337.tif 000012
【図１１】
2019084337.tif 000013
【図１２】
2019084337.tif 000014
【図１３】
2019084337.tif 000015
【図１４】
2019084337.tif 000016
【図１５】
2019084337.tif 000017
【図１６】
2019084337.tif 000018
【図１７】
2019084337.tif 000019
【図１８】
2019084337.tif 000020
【図１９】
2019084337.tif 000021
【図２０】
2019084337.tif 000022